(57)【要約】【課題】膜表面の閉塞物質を十分に剥離して膜の負担を軽減することができる浄水装置を提供する。【解決手段】原水を濾過する第１濾過手段５および第２濾過手段６と、少なくとも第１濾過手段５および第２濾過手段６のうち、いずれか一方に設けられた排出流路１６と、第１濾過手段５および第２濾過手段６に対して選択的に原水を供給する原水供給流路７，８と、第１濾過手段および第２濾過手段から得られる浄水を系外に吐出させる主浄水流路１８と、第１濾過手段５および第２濾過手段６のうち、いずれか一方で得られた浄水を他方の２次側から１次側に逆通水することが可能な合流流路１７，２６と、原水供給流路７，８に設けられ、少なくとも第１濾過手段５に対して気泡を供給するエジェクタ３と、を備えることを特徴とする。【選択図】図１
2008207158.tif 000002
【特許請求の範囲】
【請求項１】
原水を濾過する第１濾過手段および第２濾過手段と、
前記第１濾過手段および前記第２濾過手段のうち、少なくともいずれか一方に設けられた排出流路と、
前記第１濾過手段および前記第２濾過手段に対して選択的に前記原水を供給する原水供給流路と、
前記第１濾過手段および前記第２濾過手段から得られる浄水を系外に吐出させる主浄水流路と、
前記第１濾過手段および前記第２濾過手段のうち、いずれか一方で得られた浄水を他方の２次側から１次側に逆通水することが可能な合流流路と、
前記原水供給流路に設けられ、少なくとも前記第１濾過手段に対して気泡を供給するエジェクタと、
を備える浄水装置。
【請求項２】
前記第１濾過手段は中空糸膜であり、該中空糸膜を構成する中空糸の外側が一次側、前記中空糸の内側が二次側に設定されていることを特徴とする請求項１に記載の浄水装置。
【請求項３】
前記第１濾過手段の膜洗浄を行う際に、前記第２濾過手段の一次側に滅菌・洗浄剤を添加する滅菌・洗浄剤添加手段を備えることを特徴とする請求項１または２に記載の浄水装置。
【発明の詳細な説明】
【技術分野】
【０００１】
この発明は、浄水装置に関するものである。
【背景技術】
【０００２】
従来から、上水道など配管の途中に介挿して膜濾過を行う浄水装置が知られている。この種の浄水装置では目詰まり状態であるいわゆる膜のファウリングが進行する度に膜の交換が必要となるため、とりわけ、水環境が良好でない地域では膜の交換頻度が高くなり負担が大きくなっていた。そこで近年、膜の寿命を延ばすために、２つの濾過ユニットを並列接続して、一方の濾過ユニットから吐出された浄水を他方の濾過ユニットの膜の二次側から一次側に向けて通水する、いわゆる逆洗を行い、膜の一次側に付着した閉塞物質を剥離洗浄するようにしたものがある（例えば、特許文献１参照）。
【特許文献１】特開平１１−１３７９７６号公報
【発明の開示】
【発明が解決しようとする課題】
【０００３】
しかしながら、上述した従来の浄水装置では、逆洗によって膜の一次側に付着した閉塞物質の一部が剥離した時点で、この部分に逆洗による通水が集中してしまうため、他の部分の閉塞物質が十分に剥離できないという課題がある。
【０００４】
そこで、この発明は、膜表面の閉塞物質を十分に剥離して膜の負担を軽減することができる浄水装置を提供するものである。
【課題を解決するための手段】
【０００５】
上記課題を解決するために、請求項１に記載した発明は、原水を濾過する第１濾過手段（例えば、実施の形態における第１濾過手段５）および第２濾過手段（例えば、実施の形態における第２濾過手段６）と、前記第１濾過手段および前記第２濾過手段のうち、少なくともいずれか一方に設けられた排出流路（例えば、実施の形態における排出流路１６）と、前記第１濾過手段および前記第２濾過手段に対して選択的に前記原水を供給する原水供給流路（例えば、実施の形態における原水供給流路７，８）と、前記第１濾過手段および前記第２濾過手段から得られる浄水を系外に吐出させる主浄水流路（例えば、実施の形態における主浄水流路１８）と、前記第１濾過手段および前記第２濾過手段のうち、いずれか一方で得られた浄水を他方の２次側から１次側に逆通水することが可能な合流流路（合流流路１７，２６）と、前記原水供給流路に設けられ、少なくとも前記第１濾過手段に対して気泡を供給するエジェクタ（例えば、実施の形態におけるエジェクタ３）と、を備えることを特徴とする。
【０００６】
請求項２に記載した発明は、前記第１濾過手段は中空糸膜（例えば、実施の形態における中空糸膜１０）であり、該中空糸膜を構成する中空糸の外側が一次側、前記中空糸の内側が二次側に設定されていることを特徴とする。
【０００７】
請求項３に記載した発明は、前記第１濾過手段の膜洗浄を行う際に、前記第２濾過手段の一次側に滅菌・洗浄剤（例えば、実施の形態における滅菌・洗浄剤４１）を添加する滅菌・洗浄剤添加手段（例えば、実施の形態における滅菌・洗浄剤添加手段４０）を備えることを特徴とする。
【発明の効果】
【０００８】
請求項１に記載した発明によれば、原水を膜濾過する第１濾過手段と第２濾過手段とを並列接続して、第２濾過手段から吐出される浄水を第１濾過手段の二次側から一次側に逆通水して第１濾過膜手段の膜洗浄を行うのに加え、さらに、エジェクタで給水管の原水に対して気泡を混入して第１濾過手段の膜のいわゆるスクラビング洗浄を行うことができる。したがって、従来のように逆通水だけを行う場合と比較して、均一に膜の洗浄を行うことができ、膜への負担を軽減することができる効果がある。
また、原水を排出する排出流路が第１濾過手段に接続されていることで、膜のスクラビング洗浄によって剥離した閉塞物質が速やかに系外に排出されるため、剥離された閉塞物質が管路の表面などに付着するのを低減することができる。
【０００９】
請求項２に記載した発明によれば、例えば中空糸の内側が一次側に設定されている場合には、スクラビングによって剥離した閉塞物質が中空糸の内面に接触して再度中空糸の内側に付着する可能性が高くなるが、中空糸の外面を一次側に設定していることで、スクラビングによって剥離した閉塞物質が速やかに排出管側に向かって移動するため、再び閉塞物質が中空糸に付着するのを防止することができる。
【００１０】
請求項３に記載した発明によれば、第１濾過手段に逆通水する際に、第２濾過手段の一次側に設けられた滅菌・洗浄剤添加手段により滅菌・洗浄剤を添加することができるため、第２濾過手段の膜と、第１濾過手段の膜とを同時に滅菌・洗浄することができる効果がある。
【発明を実施するための最良の形態】
【００１１】
以下、この発明の第１の実施の形態を図１から図４に基づいて説明する。
図１において、符号１はこの実施の形態の浄水装置を示している。この浄水装置１は、原水を浄化するためのものであり、利用する地域に応じて河川水、湖沼水、井戸水、工業用水等が水道を通じて原水として供給される。なお、この第１の実施の形態では、水道圧によって浄水装置１に原水が供給される一例を示しているが、例えば、水道圧が不足している場合や不安定な場合などは浄水装置１の前段にポンプを設けることにより増圧してもよい。
【００１２】
浄水装置１は、外部から原水が流入する主原水供給流路２を備えている。この主原水供給流路２には原水供給流路７，８が分岐接続され、原水供給流路７の途中には、エジェクタ３が介装されている。このエジェクタ３には、空気供給流路４が接続され、エジェクタ３により原水供給流路７を流過する原水に空気の気泡が混入可能になっている。ここで、エジェクタ３に接続された空気供給流路４には第１制御弁Ｖ１が設けられており、第１制御弁Ｖ１を開閉することで、気泡混入の有無を切り換えることが可能となっている。さらに、第１制御弁Ｖ１より取り込む空気量を増大させるために、空気供給手段を用いて空気量を増大させることもできる。ここで言う空気供給手段とは、コンプレッサおよびブロア等の正圧による送風装置を指す。
【００１３】
さらに、原水供給流路７には第１濾過手段５、原水供給流路８には第２濾過手段６がそれぞれ接続されている。原水供給流路７には第２制御弁Ｖ２が介装され、この第２制御弁Ｖ２により原水供給流路７の開閉が可能となっている。同様に、原水供給流路８にも第３制御弁Ｖ３が介装されており、この第３制御弁Ｖ３により原水供給流路８の開閉が可能となっている。
【００１４】
第１濾過手段５は、ケーシング９を備えるとともに、このケーシング９内には中空糸膜１０が収容されている。この中空糸膜１０は、ケーシング９の上部に配置されているウレタン樹脂、エポキシ樹脂、ポリオレフィン樹脂などのポッティング材１１によって一次側である原水側と二次側である浄水側とが遮断されている。また、ケーシング９は、下部に入口ポート１２を備えるとともに上部に出口ポート１３とを備え、さらに、ケーシング９の側壁１４の上記ポッティング材１１のやや下方の位置に排水ポート１５を備えている。ここで、中空糸膜１０の内側面はポッティング材１１よりも出口ポート１３側に配置され、中空糸膜１０の外側面はポッティング材１１よりも入口ポート１２および排水ポート１５側に配置されている。また、入口ポート１２には、前述した原水供給流路７が接続されている。
【００１５】
排水ポート１５は、中空糸膜１０の膜洗浄を行った際に中空糸膜１０から剥離または溶出した閉塞物質をケーシング９の一次側の原水とともに浄水装置１の系外に排出するためのものであり、この排水ポート１５には、その端部が装置外部に配置された排出流路１６が接続されている。ここで、排出流路１６には、この排出流路１６の開閉を行う第４制御弁Ｖ４が介装されている。また、出口ポート１３には、合流流路１７が接続され、この合流流路１７の端部が浄水を送る主浄水流路１８と合流接続されている。ここで、上記閉塞物質としては、配水池から浄水装置１に到達した鉄錆等の浮遊物質、原水中の微生物からの代謝物である多糖類、浄水施設等で添加された酸化作用のある滅菌剤による消毒副産物などがある。
【００１６】
一方、第２濾過手段６は、上記第１濾過手段５と同様に、入口ポート１９と出口ポート２０と排水ポート２１とをそれぞれ備えたケーシング２２と、ウレタン樹脂、エポキシ樹脂、ポリオレフィン樹脂などのポッティング材２３によって浄水側と原水側とが遮断された中空糸膜２４とを備えている。中空糸膜２４の内側面は出口ポート１９側に配置されており、中空糸膜の外側面は入口ポート１９及び排水ポート２１側に配置されている。なお、第２濾過手段６は第１濾過手段５と同一で、排水ポート２１に蓋２５を装着して利用不可にすることが好ましい。第１濾過手段５を、本発明による洗浄を繰り返し長期間使用し浄水水量が低下した際に、排水ポート２１の蓋２５を取り外し、第２濾過手段６と第１濾過手段５を交換し、第１濾過手段５の排水ポート１５に蓋２５を取り付けることで、更に浄水装置１が長期間使用することができるため経済的である。
【００１７】
第２濾過手段６の出口ポート２０には、第１濾過手段５の出口ポート１３と同様に、合流流路２６が接続され、この合流流路２６の端部が浄水を送る主浄水流路１８と合流接続されている。また、合流流路２６には、この合流流路２６の開閉を行う第５制御弁Ｖ５が介装されている。
【００１８】
主浄水流路１８は、原水を処理した処理水である浄水を浄水装置１の系外に送り出すための流路であり、この主浄水流路１８の途中には、主浄水流路１８の開閉を行う第６制御弁Ｖ６が設けられている。なお、主浄水流路１８の途中に、浄水の流量が一定となるように調整する定流量弁２７を取り付けることもできる。
【００１９】
また、上述した第１〜第６制御弁Ｖ１〜Ｖ６は、これら第１〜第６制御弁Ｖ１〜Ｖ６に対して制御指令を出力する制御部２８に接続されている。この制御部２８には、図示しない圧力計や流量計などが接続されており、例えば、第１濾過手段５に原水を通水しているときに、第１濾過手段５の二次側の圧力や流量が所定値に満たなくなった場合にこれを検出し、第１濾過手段５の中空糸膜１０のファウリングが進行していると判断して、第１〜第６制御弁Ｖ１〜Ｖ６の開閉状態を切り換えて、原水を処理する浄化モードから、膜洗浄を行う逆洗浄モードおよびエアスクラビングモードに移行するように設定されている。なお、ファウリングの進行は、流量や圧力以外に経過時間で判断するように設定してもよい。ここで、第１〜第６制御弁Ｖ１〜Ｖ６は、開閉信号により自動で開閉できるものであり、電動弁、電磁弁、空気作動弁等が用いられる。特に経済性の観点から、電磁弁を用いることが望ましい。
【００２０】
次に、図２〜４に基づいて浄水モード、逆洗モード、エアスクラビングモードについて説明する。なお、図１〜４において、第１〜第６制御弁Ｖ１〜Ｖ６は、黒塗りが閉塞状態、白抜きが開放状態を示している。
【００２１】
まず、処理水である浄水の利用が開始されると、制御部２８は、待機状態である第１〜第６制御弁Ｖ１〜Ｖ６が全閉の状態（図１参照）から、図２に示すように、第２制御弁Ｖ２と第６制御弁Ｖ６とを開放状態、第１制御弁Ｖ１、第３〜５制御弁Ｖ３〜５を閉塞状態に制御する浄水モードに移行する。
【００２２】
浄水モードに移行することで、浄水装置１に流入した原水は、主原水供給流路２から原水供給流路７を介して第１濾過手段５の入口ポート１２に流入する。そして、原水は、入口ポート１２からケーシング９内に入り、原水の圧力によって中空糸膜１０の一次側から二次側に向かって通水されて濾過される。
【００２３】
そして、原水が濾過されることで得られた浄水は、第１濾過手段５の出口ポート１３から合流流路１７と主浄水流路１８とを介して外部に送り出されることとなる。ここで、主浄水流路１８を流過する浄水は定流量弁２７によってその吐出流量が調整される。
【００２４】
次に、図３に示すように、逆洗モードに移行する場合、制御部２８は、浄水が利用されていないときに、第３〜５制御弁Ｖ３〜５を開放状態とし、第１制御弁Ｖ１、第２制御弁Ｖ２、第６制御弁Ｖ６を閉塞状態に維持する逆洗モードに移行する。なお、ここで言う逆洗モードに移行する場合とは、浄水装置１の浄水モードの累積時間、予め設定された浄水モードの完了時間、浄水が利用されていない時間帯、或いはメイン濾過ユニット５の中空糸膜１０のファウリングが進行して主浄水流路１８での流量や圧力の低下が検出された場合等で、任意に設定することができる。
【００２５】
逆洗モードに移行すると、浄水装置１に流入した原水は、主原水供給流路２と原水供給流路８とを介して入口ポート１９から第２濾過手段６内に流入し、中空糸膜２４で濾過される。そして、第２濾過手段６で濾過された浄水は出口ポート２０から送り出され、合流流路２６と合流流路１７とを介して出口ポート１３から第１濾過手段５に流入する。その後、この第１濾過手段５に流入した浄水は、中空糸膜１０の二次側から一次側に向かって逆通水され、この際、中空糸膜１０の一次側表面に付着している閉塞物質が剥離される。ここで、中空糸膜１０の一次側では、浄水中に閉塞物質が浮遊して混在する状態となり、この閉塞物質が混在する浄水である濃縮排水は、排水ポート１５、排出流路１６を介して系外へ排出される。なお、濃縮排水の「濃縮」とは、第１濾過手段５の二次側から一次側に逆通水された浄水中の閉塞物質の濃度が通常の原水よりも高くなることを称している。
【００２６】
さらに、上述した逆洗モードで除去しきれない閉塞物質を除去するため、逆洗モードの後にエアスクラビングモードに移行する。エアスクラビングモードへの移行は、図４に示すように、制御部２８から信号を発することにより、第１制御弁Ｖ１と第２制御弁Ｖ２と第４制御弁Ｖ４とを開放状態とし、さらに、第３制御弁Ｖ３、第５制御弁Ｖ５、第６制御弁Ｖ６を閉塞状態とすることにより行う。
【００２７】
エアスクラビングモードに移行すると、まず、浄水装置１に流入した原水は、原水供給流路７の途中でエジェクタ３によって空気の微小気泡が混入される。そして、この微小気泡が混入された原水は、原水供給流路７を介して入口ポート１２から第１濾過手段５内に流入することにより、原水中の気泡が入口ポート１２から拡散しながら上昇して中空糸膜１０の一次側の表面に均一に踊動させる。この結果、逆洗モードでできなかった中空糸膜の一次側に残留している閉塞物質を中空糸膜１０から剥離することができる。そして、この剥離した閉塞物質を含む原水が排水ポート１５から排出流路１６を経由して濃縮排水として系外に排出される。
【００２８】
したがって、上述した第１の実施の形態によれば、原水を膜濾過する第１濾過手段５と第２濾過手段６とを並列接続して、第２濾過手段６から吐出される浄水を第１濾過手段５の中空糸膜１０の二次側から一次側に逆通水して第１濾過手段５の膜洗浄を行うのに加え、さらに、エジェクタ３で原水供給流路７を流過する原水に対して気泡を混入して第１濾過手段５の中空糸膜１０のスクラビング洗浄を行うことができるため、従来の逆通水だけを行う場合と比較して、効果的・効率的に膜の洗浄を行うことができるため、さらなる中空糸膜１０の負担を軽減することができる。
【００２９】
また、原水を排出する排出流路１６が第１濾過手段５の排水ポート１５に接続されていることで、中空糸膜１０のスクラビング洗浄によって剥離した閉塞物質が速やかに系外に排出されるため、剥離された閉塞物質が入口ポートに接続された原水供給流路７の表面などに付着するのを低減することができる。
【００３０】
さらに、中空糸膜の内側が一次側（ダーティー側）、外側が二次側（クリーン側）に設定されているような場合、エアスクラビングによって剥離した閉塞物質が中空糸膜の管状に形成された内側面に接触して再度中空糸膜の内側面に付着する可能性が高くなり閉塞物質が中空糸膜の外部に排出され難くなるが、上述した実施の形態のように中空糸膜１０の外側面を一次側に設定していることで、エアスクラビングによって剥離した閉塞物質が水流によって速やかに中空糸膜１０から離脱し排水ポート１５側に向かって移動するため、再び閉塞物質が中空糸膜１０に付着して膜のファウリングが進行するのを防止することができる。
【００３１】
そして、第１濾過手段５の側壁１４に排水ポート１５が形成されていることで、エアスクラビングや逆洗によって剥離した閉塞物質が入口ポート１２から原水供給流路７側に流出することがないため、原水供給流路７や主原水供給流路２に剥離した閉塞物質が付着するのを防止することができ、この結果メンテナンスの頻度を低減することができる。
【００３２】
次に図５，６に基づいて、この発明の第２の実施の形態を説明する。なお、この第２の実施の形態は、上述した第１の実施の形態における第２濾過手段６の入口ポート１９に、滅菌・洗浄剤を添加する構成を加えたものである。よって、同一部分に同一符号を付して重複する部分の説明を省略する。
【００３３】
図５に示すように、浄水装置１ｂには、第１濾過手段５と第２濾過手段６とが並列的に接続されている。そして、主原水供給流路２と第２濾過手段６の入口ポート１９とを接続する原水供給流路８には、滅菌・洗浄剤添加手段４０が接続されている。より具体的には、滅菌・洗浄剤添加手段４０は、滅菌・洗浄剤（例えば、次亜塩素酸ソーダなどの次亜塩素酸塩）４１を貯留する貯留槽４２を備え、この貯留槽４２が滅菌・洗浄剤４１を圧送するポンプ（Ｐ）４３と逆止弁４４とを途中に備えた流路４５を介して原水供給流路８に合流接続されている。ここで、逆止弁４４により、原水供給流路８からポンプ４３に向かう方向への原水の流入が規制される。
【００３４】
ポンプ４３は、制御部２８に接続され、この制御部２８によって駆動制御されるようになっている。この制御部２８からの制御指令に基づいてポンプ４３が駆動されると、貯留槽４２内の滅菌・洗浄剤４１が流路４５を通じて原水供給流路８に圧送されて滅菌・洗浄剤４１が原水に添加されるようになっている。また、制御部２８は、上述した第１の実施の形態の浄化モード、逆洗モード、エアスクラビングモードに加えてさらに滅菌モードが実行可能になっている。なお、上述した滅菌・洗浄剤４１は次亜塩素酸塩以外に、例えば、オゾン含有水、過酸化水素水、過マンガン酸カリウム水溶液、過マンガン酸ナトリウム水溶液等、中空糸膜１０，２４の膜を透過するものであればよい。
【００３５】
制御部２８は、例えば、逆洗モードやエアスクラビングモードによって中空糸膜１０の表面に付着している閉塞物質が除去された後に、中空糸膜１０上に残留している雑菌を除去するためのモードである滅菌・洗浄モードに移行するように設定されている。より具体的には、図６に示すように、制御部２８は滅菌・洗浄モードに移行するべく、第１制御弁Ｖ１、第２制御弁Ｖ２、第６制御弁Ｖ６を閉塞状態とし、第３〜５制御弁Ｖ３〜５を開放状態とする。そして、ポンプ４３を駆動制御して、原水供給流路８を流過する原水に対して滅菌・洗浄剤４１を添加する。
【００３６】
この滅菌・洗浄剤４１が添加された原水は、入口ポート１９から第２濾過手段６内に流入して中空糸膜２４の一次側から二次側に向かって通水された後、出口ポート２０から合流流路２６に送り出され、さらに合流流路１７に回り込んで出口ポート１３から第１濾過手段５に流入する。そして、中空糸膜１０の二次側から一次側に向かって通水された後に排水ポート１５を介して系外に排出される。
【００３７】
すなわち、滅菌・洗浄剤４１を添加した原水が、原水供給流路８、第２濾過手段６、合流流路１７，２６、第１濾過手段５、排出流路１６の内面に接触することで当該箇所の滅菌・洗浄がなされることとなる。また、滅菌・洗浄剤４１が浄水装置１の系内に残留しないように、制御部２８は、ポンプ４３を停止した後しばらくの間原水を流し続け、滅菌・洗浄剤４１の残留が解消される所定の時間後に滅菌・洗浄モードを終了して待機状態、すなわち第１〜６制御弁Ｖ１〜６を全て閉塞状態にする。
【００３８】
したがって、上述した第２の実施の形態によれば、第１濾過手段５に逆通水する際に、第２濾過手段６の一次側に設けられた滅菌・洗浄剤添加手段４０により滅菌・洗浄剤４１を添加することができるため、第２濾過手段６の中空糸膜２４と、第１濾過手段５の中空糸膜１０とを同時に滅菌することができる。この結果、中空糸膜１０をより清浄状態にして、膜の負担をさらに軽減することができる。
【００３９】
なお、上述した各実施の形態では、排水ポート１５を、ポッティング材１１のやや下方の第１濾過手段５の側壁１４に設けた場合について説明したが、これに限られるものではなく、例えば、ポッティング材１１のやや下方に加えて、入口ポート１２のやや上方に出口ポートを設けるようにしてもよい。このように構成することで、比重の重い閉塞物質が剥離して下方に沈む場合でも、入口ポート１２のやや上方すなわち第１濾過手段５の下部から比重の重い閉塞物質を排出することができる。
【００４０】
また、第１濾過手段５と第２濾過手段６とが同等の構成である場合について説明したが、例えば、第２濾過手段６を第１濾過手段５の洗浄時のみ使用する場合には、第２濾過手段６をより小型のものに置き換えてもよく、このようにすると浄水装置１を小型化することもできる。
【００４１】
さらに、上述の各実施の形態では、浄水モードにおいて、第１濾過手段５にのみ原水を通水して濾過する構成について説明したが、何らかの理由で第１濾過手段５が使用できなくなった場合に第２濾過手段６に通水して浄水モードを実行するようにしてもよい。
そして、上述の実施の形態では、第１濾過手段５にのみ排出流路１６を接続していたが、上述した第１濾過手段５と同様に、第２濾過手段６の排水ポート２１に排出流路を接続して、第２濾過手段６において逆洗やエアスクラビングが可能な構成にしてもよい。
【００４２】
また、エジェクタ３により原水中に空気の気泡を混入する場合について説明したが、原水中に混入する気泡は空気に限られるものではない。
さらに、上述の各実施の形態では、逆洗中に制御弁Ｖ６を閉塞する一例について説明したが、逆洗中であっても利用者が第２濾過手段６で処理された浄水を利用することができるように、利用者の要求に応じて制御弁Ｖ６を開放するようにしてもよい。このように構成する場合、浄水が第１濾過手段５と主浄水流路１８とに分流し、主浄水流路１８の流量が低下するため、主原水供給流路２の水道圧をポンプ（図示せず）などで増圧するのが好ましい。
【００４３】
さらに、上述した第１の実施形態の他の態様として、例えば、図７に示すように、エジェクタを主原水供給流路２に介装するようにしてもよい。このように構成することで、第１濾過手段５および第２濾過手段６に対して選択的に気泡を供給することができるため、第２濾過手段６に対してもエアスクラビングを行うことができ、この結果、中空糸膜２４の負担を軽減することができる。
【図面の簡単な説明】
【００４４】
【図１】本発明の第１の実施の形態における浄水装置の概略構成図である。
【図２】本発明の第１の実施の形態における浄水モード時の図１に相当する概略構成図である。
【図３】本発明の第１の実施の形態における逆洗モード時の図１に相当する概略構成図である。
【図４】本発明の第１の実施の形態におけるエアスクラビングモード時の図１に相当する概略構成図である。
【図５】本発明の第２の実施の形態における浄水装置の概略構成図である。
【図６】本発明の第２の実施の形態における滅菌モード時の図５に相当する概略構成図である。
【図７】本発明の第１の実施の形態の他の態様における図１に相当する概略構成図である。
【符号の説明】
【００４５】
３  エジェクタ
５  第１濾過手段
６  第２濾過手段
７，８  原水供給流路
１０  中空糸膜
１６  排出流路
１７，２６  合流流路
１８  主浄水流路
４０  滅菌剤添加手段
４１  滅菌剤
【図１】
2008207158.tif 000003
【図２】
2008207158.tif 000004
【図３】
2008207158.tif 000005
【図４】
2008207158.tif 000006
【図５】
2008207158.tif 000007
【図６】
2008207158.tif 000008
【図７】
2008207158.tif 000009